(57)【要約】      （修正有）【課題】施工性及び経済性が良く、組み立て易いコンクリート積みブロック擁壁及びコンクリート積みブロック擁壁の構築方法を提供する。【解決手段】コンクリート積みブロック擁壁１は、前方ブロック群とこれに対応する後方ブロック群とから構成される。前方ブロック群に属する複数の前方コンクリートブロック２０と、後方ブロック群に属する複数の後方コンクリートブロック３０とを前後に配置して一体化することによって前方スペースの各々と後方スペースの各々とが形成される。前方スペースの各々には現場打ちコンクリート２等が充填され、後方スペースの各々には裏込め材３が充填される。後方スペースの各々に充填された裏込め材３がすべて自重として安定計算ができ、切土法面の掘削幅、掘削量を減らすことができる。【選択図】図１
2020117917.tif 000002
【特許請求の範囲】
【請求項１】
背面側に土圧力が作用するコンクリート積みブロック擁壁であって、
上下、左右に一体化された、複数の前方コンクリートブロックと、
前記前方コンクリートブロックの各々に対して後方に配置されて一体化され、少なくともその一部に裏込め材が充填されると共にその背面が透水機能を有する複数の第１の後方コンクリートブロックとを備えた、コンクリート積みブロック擁壁。
【請求項２】
前方ブロック群とこれに対応する後方ブロック群とから構成され、前記後方ブロック群の背面側に土圧力が作用するコンクリート積みブロック擁壁であって、
前記前方ブロック群に属する複数の前方コンクリートブロックと、前記後方ブロック群に属する複数の第１の後方コンクリートブロックとを前後に配置して一体化することによって前方スペースの各々と第１の後方スペースの各々とが形成され、
前記複数の前方コンクリートブロックは、前記前方スペースの各々の少なくともその一部に現場打ちコンクリート等を充填することによって、上下、左右に一体化され、
前記複数の第１の後方コンクリートブロックは、前記第１の後方スペースの各々の少なくともその一部に第１の裏込め材が充填されると共にその背面が透水機能を有する、コンクリート積みブロック擁壁。
【請求項３】
前記第１の後方コンクリートブロックの各々は底板を備え、
前記第１の後方スペースの各々に溜まる雨水等を前記前方コンクリートブロックの各々の前面へ排出する排水路を更に備え、
前記排水路の上流側は、前記底板の上方に位置する、請求項２記載のコンクリート積みブロック擁壁。
【請求項４】
前記後方コンクリートブロックの各々の背面には少なくとも一つの開口が形成され、
前記開口は、外側の面積より内側の面積の方が小さい、請求項２記載のコンクリート積みブロック擁壁。
【請求項５】
前記第１の後方コンクリートブロックの各々は、前後左右をコンクリート板で形成される、請求項２記載のコンクリート積みブロック擁壁。
【請求項６】
前記前方コンクリートブロックの各々は、前後左右をコンクリート板で形成され、
前記後方コンクリートブロックの各々は、後と左右とをコンクリート板で形成される、請求項２記載のコンクリート積みブロック擁壁。
【請求項７】
前記第１の後方コンクリートブロックの各々を形成する左右のコンクリート板は、後ろのコンクリート板の左右端より内側に配置され、
隣接する前記第１の後方コンクリートブロックの各々の間に形成される側方スペースの各々の少なくとも一部に現場打ちコンクリートが充填される、請求項５又は請求項６記載のコンクリート積みブロック擁壁。
【請求項８】
前記前方コンクリートブロックの各々とこれらに対向する前記第１の後方コンクリートブロックの各々とは、ボルト及びナット等の機械的連結手段を介して連結される、請求項２記載のコンクリート積みブロック擁壁。
【請求項９】
前記第１の後方コンクリートブロックの各々の背面は、後方へ傾く勾配を有し、
所定段数より下に配置される前記前方コンクリートブロックの各々の前面は、前記勾配と同一勾配を有し、
前記所定段数から上に配置される前記前方コンクリートブロックの各々の前面は、略垂直である、請求項２記載のコンクリート積みブロック擁壁。
【請求項１０】
所定段数から上に配置される複数の前記第１の後方コンクリートブロックの各々の後方に、第２の後方コンクリートブロックを更に配置して一体化することによって前記第１の後方スペースの後方の各々に第２の後方スペースが形成され、前記第２の後方スペースの各々の少なくともその一部に第２の裏込め材が充填されると共に前記第２の後方コンクリートブロックの背面が透水機能を有する、請求項２記載のコンクリート積みブロック擁壁。
【請求項１１】
前方ブロック群とこれに対応する後方ブロック群とから構成され、前記後方ブロック群の背面側に土圧力が作用するコンクリート積みブロック擁壁の構築方法であって、
前記前方ブロック群に属する複数の前方コンクリートブロックの各々と、前記後方ブロック群に属する複数の後方コンクリートブロックの各々とを前後に配置して一体化することによって前方スペースの各々と後方スペースの各々とを形成する工程と、
形成した一体化コンクリートブロックを現場に搬入する工程と、
前記一体化コンクリートブロックを１段目として左右に複数設置する設置工程と、
前記前方スペースの各々の少なくともその一部に現場打ちコンクリート等を充填し、前記後方スペースの各々の少なくともその一部に裏込め材を充填する充填工程とを備え、
前記設置工程と、前記充填工程とを上方向に所定段数繰り返す、コンクリート積みブロック擁壁の構築方法。
【発明の詳細な説明】
【技術分野】
【０００１】
本発明は、コンクリート積みブロック擁壁及びコンクリート積みブロック擁壁の構築方法に関し、特に背面側に土圧力が加わる場所に設置されるコンクリート積みブロック擁壁及びコンクリート積みブロック擁壁の構築方法に関するものである。
【背景技術】
【０００２】
背面側に土圧力が加わる場所に設置されるコンクリート積みブロック擁壁として特許文献１には、コンクリートブロックの各々の背面を囲うように枠材が取り付けられ、コンクリートブロックの背面と枠材とで構成される空間の各々に裏込め材が充填されるコンクリート積みブロック擁壁が開示されている。
【０００３】
これにより裏込め材をコンクリートブロックと一体として安定計算が可能となった。そのため、コンクリート積みブロック擁壁の控長さが減少することにより、土砂の掘削量や現場打ちコンクリートの量が減るなど経済的となり、且つ工期が短縮された。又、急峻な現場での長期間の工事は事故災害の危険率が高かったが、工期短縮により安全性が向上した。
【先行技術文献】
【特許文献】
【０００４】
【特許文献１】特許第３６４３１１４号公報
【発明の概要】
【発明が解決しようとする課題】
【０００５】
しかしながら、特許文献１のコンクリート積みブロック擁壁は、コンクリートブロックに取り付ける枠材を組み立てるなどの工程が必要であり、更なる改良が求められていた。
【０００６】
この発明は、上記のような課題を解決するためになされたもので、施工性が良く、組み立て易いコンクリート積みブロック擁壁及びコンクリート積みブロック擁壁の構築方法を提供することを目的とする。
【課題を解決するための手段】
【０００７】
上記の目的を達成するために、請求項１記載の発明は、背面側に土圧力が作用するコンクリート積みブロック擁壁であって、上下、左右に一体化された、複数の前方コンクリートブロックと、前方コンクリートブロックの各々に対して後方に配置されて一体化され、少なくともその一部に裏込め材が充填されると共にその背面が透水機能を有する複数の第１の後方コンクリートブロックとを備えるものである。
【０００８】
このように構成すると、裏込め材の充填が容易になる。
【０００９】
請求項２記載の発明は、前方ブロック群とこれに対応する後方ブロック群とから構成され、前記後方ブロック群の背面側に土圧力が作用するコンクリート積みブロック擁壁であって、前方ブロック群に属する複数の前方コンクリートブロックと、後方ブロック群に属する複数の第１の後方コンクリートブロックとを前後に配置して一体化することによって前方スペースの各々と第１の後方スペースの各々とが形成され、複数の前方コンクリートブロックは、前方スペースの各々の少なくともその一部に現場打ちコンクリート等を充填することによって、上下、左右に一体化され、複数の第１の後方コンクリートブロックは、第１の後方スペースの各々の少なくともその一部に第１の裏込め材が充填されると共にその背面が透水機能を有するものである。
【００１０】
このように構成すると、裏込め材の充填が容易になる。
【００１１】
請求項３記載の発明は、請求項２記載の発明の構成において、第１の後方コンクリートブロックの各々は底板を備え、第１の後方スペースの各々に溜まる雨水等を前方コンクリートブロックの各々の前面へ排出する排水路を更に備え、排水路の上流側は、底板の上方に位置するものである。
【００１２】
このように構成すると、雨水等が後方コンクリートブロックの背面から第１の後方スペースに侵入し、排水路を通ってコンクリート積みブロック擁壁の前面へ排出される。
【００１３】
請求項４記載の発明は、請求項２記載の発明の構成において、後方コンクリートブロックの各々の背面には少なくとも一つの開口が形成され、開口は、外側の面積より内側の面積の方が小さいものである。
【００１４】
このように構成すると、後方コンクリートブロックの背面にテーパー状の開口が設けられる。
【００１５】
請求項５記載の発明は、請求項２記載の発明の構成において、第１の後方コンクリートブロックの各々は、前後左右をコンクリート板で形成されるものである。
【００１６】
このように構成すると、前方コンクリートブロックがどのような形状でも、第１の後方コンクリートブロックに裏込め材を充填するスペースを設けることができる。
【００１７】
請求項６記載の発明は、請求項２記載の発明の構成において、前方コンクリートブロックの各々は、前後左右をコンクリート板で形成され、後方コンクリートブロックの各々は、後と左右とをコンクリート板で形成されるものである。
【００１８】
このように構成すると、前方コンクリートブロックの後ろ側がコンクリート板で閉じた構造の場合にも前方スペース及び第１の後方スペースが形成される。
【００１９】
請求項７記載の発明は、請求項５又は請求項６記載の発明の構成において、第１の後方コンクリートブロックの各々を形成する左右のコンクリート板は、後ろのコンクリート板の左右端より内側に配置され、隣接する第１の後方コンクリートブロックの各々の間に形成される側方スペースの各々の少なくとも一部に現場打ちコンクリートが充填されるものである。
【００２０】
このように構成すると、第１の後方コンクリートブロックが左右に一体化される。
【００２１】
請求項８記載の発明は、請求項２記載の発明の構成において、前方コンクリートブロックの各々とこれらに対向する第１の後方コンクリートブロックの各々とは、ボルト及びナット等の機械的連結手段を介して連結されるものである。
【００２２】
このように構成すると、前方コンクリートブロックと後方コンクリートブロックとを一体化できる。
【００２３】
請求項９記載の発明は、請求項２記載の発明の構成において、第１の後方コンクリートブロックの各々の背面は、後方へ傾く勾配を有し、所定段数より下に配置される前方コンクリートブロックの各々の前面は、勾配と同一勾配を有し、所定段数から上に配置される前方コンクリートブロックの各々の前面は、略垂直であるものである。
【００２４】
このように構成すると、所定段数までは傾斜のあるコンクリート積みブロック擁壁で、所定段数より上は前面が垂直のコンクリート積みブロック擁壁が形成される。
【００２５】
請求項１０記載の発明は、請求項２記載の発明の構成において、所定段数から上に配置される複数の第１の後方コンクリートブロックの各々の後方に、第２の後方コンクリートブロックを更に配置して一体化することによって第１の後方スペースの後方の各々に第２の後方スペースが形成され、第２の後方スペースの各々の少なくともその一部に第２の裏込め材が充填されると共に第２の後方コンクリートブロックの背面が透水機能を有するものである。
【００２６】
このように構成すると、背面側が階段状のコンクリート積みブロック擁壁が形成される。
【００２７】
請求項１１記載の発明は、前方ブロック群とこれに対応する後方ブロック群とから構成され、後方ブロック群の背面側に土圧力が作用するコンクリート積みブロック擁壁の構築方法であって、前方ブロック群に属する複数の前方コンクリートブロックの各々と、後方ブロック群に属する複数の後方コンクリートブロックの各々とを前後に配置して一体化することによって前方スペースの各々と後方スペースの各々とを形成する工程と、形成した一体化コンクリートブロックを現場に搬入する工程と、一体化コンクリートブロックを１段目として左右に複数設置する設置工程と、前方スペースの各々の少なくともその一部に現場打ちコンクリート等を充填し、後方スペースの各々の少なくともその一部に裏込め材を充填する充填工程とを備え、設置工程と、充填工程とを上方向に所定段数繰り返すものである。
【００２８】
このように構成すると、前方コンクリートブロックと後方コンクリートブロックとを予め一体化したものが設置される。
【発明の効果】
【００２９】
以上説明したように、請求項１記載の発明は、裏込め材の充填が容易になるので、工期が短縮化し、充填効果が安定する。
【００３０】
請求項２記載の発明は、裏込め材の充填が容易になるので工期が短縮化し、充填効果が安定する。
【００３１】
請求項３記載の発明は、請求項２記載の発明の効果に加えて、雨水等が後方コンクリートブロックの背面から第１の後方スペースに侵入し、排水路を通ってコンクリート積みブロック擁壁の前面へ排出されるので、雨水等がコンクリート積みブロック擁壁の各段で前面へ排出可能であり、水がコンクリート積みブロック擁壁の下方に溜まらないので、大雨による土砂崩れなどの災害を防ぐことにつながる。
【００３２】
請求項４記載の発明は、請求項２記載の発明の効果に加えて、後方コンクリートブロックの背面にテーパー状の開口が設けられるので、法面からの湧水は後方スペース内に入りやすく、後方スペース内の裏込め材は外部に飛び出しにくい。
【００３３】
請求項５記載の発明は、請求項２記載の発明の効果に加えて、前方コンクリートブロックがどのような形状でも、第１の後方コンクリートブロックに裏込め材を充填するスペースを設けることができるので、従来のコンクリートブロックを前方コンクリートブロックとして利用可能である。
【００３４】
請求項６記載の発明は、請求項２記載の発明の効果に加えて、前方コンクリートブロックの後ろ側がコンクリート板で閉じた構造の場合にも前方スペース及び第１の後方スペースが形成され、後方コンクリートブロックの前側にはコンクリート板が無いので、前方コンクリートブロックと後方コンクリートブロックとの間のコンクリート板が二重にならず無駄がない。
【００３５】
請求項７記載の発明は、請求項５又は請求項６記載の発明の効果に加えて、第１の後方コンクリートブロックが左右に一体化されるので、より高さのあるコンクリート積みブロック擁壁を形成可能となる。
【００３６】
請求項８記載の発明は、請求項２記載の発明の効果に加えて、前方コンクリートブロックと後方コンクリートブロックとを一体化できるので、少ない工程でコンクリートブロックを一体化することができる。
【００３７】
請求項９記載の発明は、請求項２記載の発明の効果に加えて、所定段数までは傾斜のあるコンクリート積みブロック擁壁で、所定段数より上は前面が略垂直のコンクリート積みブロック擁壁が形成されるので、コンクリート積みブロック擁壁の上部の面積を広くすることが可能である。
【００３８】
請求項１０記載の発明は、請求項２記載の発明の効果に加えて、背面側が階段状のコンクリート積みブロック擁壁が形成されるので、擁壁の上部の土地が広く形成でき、空間を有効利用できる。又、切土法面の現場で施工する場合は、背面の土砂の掘削量が少なくて済むため、工期短縮、コスト削減につながる。
【００３９】
請求項１１記載の発明は、前方コンクリートブロックと後方コンクリートブロックとを予め一体化したものが設置されるので、現場で組立しなくとも良くなる。
【図面の簡単な説明】
【００４０】
【図１】この発明の第１の実施の形態によるコンクリート積みブロック擁壁の概略断面図である。
【図２】図１に示すコンクリート積みブロック擁壁を構成するコンクリートブロックの構成を示す概略斜視図である。
【図３】図２で示したＩＩＩ−ＩＩＩラインのコンクリートブロックの断面斜視図である。
【図４】図２で示したコンクリートブロックの概略分解斜視図である。
【図５】図１に示すコンクリート積みブロック擁壁の構築方法を示す。
【図６】この発明の第２の実施の形態によるコンクリートブロックの構成を示す概略斜視図であって、図４に対応するものである。
【図７】この発明の第３の実施の形態によるコンクリートブロックの構成を示す概略斜視図であって、図６に対応するものである。
【図８】この発明の第４の実施の形態によるコンクリート積みブロック擁壁の概略断面図であって、図１に対応するものである。
【図９】この発明の第５の実施の形態によるコンクリート積みブロック擁壁の概略断面図であって、図８に対応するものである。
【図１０】この発明の第６の実施の形態によるコンクリート積みブロック擁壁の概略断面図であって、図１に対応するものである。
【発明を実施するための形態】
【００４１】
図１はこの発明の第１の実施の形態によるコンクリート積みブロック擁壁の概略断面図であり、図２は図１に示すコンクリート積みブロック擁壁を構成するコンクリートブロックの構成を示す概略斜視図であり、図３は、図２で示したＩＩＩ−ＩＩＩラインのコンクリートブロックの断面斜視図である。
【００４２】
これらの図を参照して、コンクリート積みブロック擁壁１は、前方ブロック群と後方ブロック群とを備え、法面掘削線５に沿って掘削されて露出した支持基盤の上に基礎コンクリート４が打設された上に構築される。
【００４３】
コンクリート積みブロック擁壁１は、プレキャストコンクリートにより形成された複数の前方コンクリートブロック２０と複数の後方コンクリートブロック３０とをそれぞれ前後に配置して連結した複数のコンクリートブロック１０を上下左右に配置することで形成され、前方コンクリートブロック２０が前方ブロック群を構成し、後方コンクリートブロック３０が後方ブロック群を構成する。
【００４４】
コンクリートブロック１０は、前方コンクリートブロック２０と後方コンクリートブロック３０とを連結することで形成され、その結果、前方スペース２１と後方スペース３１とが形成される。前方スペース２１の各々には現場打ちコンクリート２が充填され、後方スペース３１の各々には裏込め砕石や土砂などからなる裏込め材３が充填される。後方スペース３１に充填された裏込め材３がすべて自重として安定計算ができ、切土法面の掘削幅、掘削量を減らすことができる。
【００４５】
又、後方コンクリートブロック３０は背面に複数の透水孔３８を備え、コンクリート積みブロック擁壁１は、排水路として、コンクリートブロック１０の後方スペース３１から前面まで貫通する排水管４０を備える。背後の土壌から排出される雨水や湧水等は、透水孔３８を介して後方スペース３１へ侵入し、排水管４０を通ってコンクリート積みブロック擁壁１の前面へ排出される。
【００４６】
従来湧水は裏込め材を通ってコンクリート積みブロック擁壁１の下方へ溜まることが多かったが、コンクリート積みブロック擁壁１ではコンクリートブロック１０の段ごとに排水管４０を介して前面へ排出可能なため、水が溜まりにくく大雨による土砂災害対策に有効である。
【００４７】
図４は、図２で示したコンクリートブロックの概略分解斜視図である。同図を参照してコンクリートブロック１０の詳細を説明する。
【００４８】
コンクリートブロック１０は前方コンクリートブロック２０、後方コンクリートブロック３０、排水管４０、ボルト５１ａ、５１ｂ及びワッシャ５２ａ、５２ｂから構成される。
【００４９】
後方コンクリートブロック３０は、図４を参照して、前後左右及び底がコンクリート板で形成されたコンクリートブロックであり、略矩形状の底板３３と、底板３３の前方に位置する中間板３７と、後方に位置する後方板３２と、左右一対の側板３４ａ、３４ｂとを備える。
【００５０】
後方板３２は法面の勾配に合わせて後方へ傾く勾配を有し、中間板３７は、後方板３２と同一の勾配を有する。中間板３７及び後方板３２は底板３３と同一の幅である。後方板３２は複数の貫通孔である透水孔３８を備える。透水孔３８は円錐台形状で、後方板３２の外側の開口が大きい円形、内側の開口が小さい円形となるよう形成されており、土壌からの雨水等は侵入しやすく、裏込め材３は飛び出しにくい。
【００５１】
中間板３７には、下方に排水管４０を通す貫通孔３６が形成されている。貫通孔３６の開口は略円形で、開口の下端は底板３３の上面の上方に位置する。
【００５２】
中間板３７と後方板３２との間には、中間板３７と後方板３２とをつなぐように左右一対の側板３４ａ、３４ｂが底板３３から立設されている。側板３４ａ、３４ｂは、中間板３７、底板３３及び後方板３２の左右端より内側に配置される。そのため、複数の後方コンクリートブロック３０が左右に並べて配置された場合、後方スペース３１の両側に、裏込め材やコンクリート等を充填可能な側方スペースが形成される。
【００５３】
一対の側板３４ａ、３４ｂにはそれぞれ、中央付近に側面視矩形状の孔が設けられ、孔の前方から中間板３７の前方へ貫通する小孔３５ａ、３５ｂが形成されている。小孔３５ａ、３５ｂには、後方コンクリートブロック３０を前方コンクリートブロック２０に接続するボルト５１ａ、５１ｂがそれぞれ挿入される。
【００５４】
後方板３２、中間板３７及び一対の側板３４は、垂直方向に略同一の高さを有し、後方コンクリートブロック３０は側面視、略平行四辺形に形成されている。
【００５５】
又、側板３４ａ、３４ｂの上部には凸部が形成され、側板３４ａ、３４ｂの下方の底板３３の裏側に凸部に対応する凹部が形成される。コンクリートブロック１０を上下に積み重ねた場合、この凹凸が係合し、コンクリートブロック１０のズレを防止する。
【００５６】
前方コンクリートブロック２０は、図４を参照して、前、左右及び底がコンクリート板で形成されたコンクリートブロックであり、略矩形状の底板２３と、底板２３の前方に位置する前方板２２と左右一対の側板２４ａ、２４ｂとを備える。
【００５７】
前方コンクリートブロック２０の前方板２２は、後方コンクリートブロック３０の後方板３２と同一の勾配を有しており、前方コンクリートブロック２０の底板２３及び前方板２２は、後方コンクリートブロック３０の底板３３と同一の幅である。
【００５８】
前方板２２には、下方に排水管４０を通す貫通孔２６が形成されている。貫通孔２６の開口は略円形で、開口の下端は底板２３の上面の上方に位置する。前方コンクリートブロック２０と後方コンクリートブロック３０とを前後に配置したとき、前方コンクリートブロック２０の貫通孔２６の中心軸は、後方コンクリートブロック３０の貫通孔３６の中心軸の延長線上に位置する。
【００５９】
前方板２２の後方には、左右一対の側板２４ａ、２４ｂが底板２３から立設されている。側板２４ａ、２４ｂは、前方板２２及び底板２３の左右端より内側に配置される。そのため、複数の前方コンクリートブロック２０が左右に並べて配置された場合、前方スペース２１の両側に、現場打ちコンクリート等を充填可能な側方スペースが形成され、このスペースに現場打ちコンクリートが充填されると複数の前方コンクリートブロック２０が左右方向に一体化する。
【００６０】
側板２４ａ、２４ｂの後方側には、ボルト５１ａ、５２ｂが螺合するインサート２５ａ、２５ｂが設けられる。前方コンクリートブロック２０と後方コンクリートブロック３０とを前後に配置したとき、インサート２５ａ、２５ｂの中心軸は後方コンクリートブロック３０の小孔３５ａ、３５ｂの中心軸と同一線上に位置する。
【００６１】
前方板２２及び一対の側板２４ａ、２４ｂは、垂直方向に略同一の高さを有し、前方コンクリートブロック２０は側面視、略平行四辺形に形成されている。
【００６２】
又、側板２４ａ、２４ｂの上部には側板３４ａ、３４ｂと同様の凸部が形成され、側板２４ａ、２４ｂの下方の底板２３の裏側には凸部に対応する凹部が形成される。コンクリートブロック１０を上下に積み重ねた場合、この凹凸が係合し、コンクリートブロック１０のズレを防止する。
【００６３】
排水管４０は、後方スペース３１に侵入した湧水をコンクリート積みブロック擁壁１の前面へ排出するための円筒形状の排水管である。排水管４０は、前方コンクリートブロック２０と後方コンクリートブロック３０とを前後に配置したとき、後方コンクリートブロック３０の貫通孔３６及び前方コンクリートブロック２０の貫通孔２６を介して後方スペース３１から前方板２２の前面まで繋がる長さを有する。
【００６４】
以下、コンクリートブロック１０の組立の手順について説明する。
【００６５】
まず、前方コンクリートブロック２０と後方コンクリートブロック３０とをそれぞれ準備する。
【００６６】
前方コンクリートブロック２０と後方コンクリートブロック３０とを前後に隙間なく配置し、ワッシャ５２をセットしたボルト５１を、後方コンクリートブロック３０の小孔３５に通し、前方コンクリートブロック２０のインサート２５に螺合することで、前方コンクリートブロック２０と後方コンクリートブロック３０とを連結する。
【００６７】
排水管４０を前方コンクリートブロック２０の貫通孔２６及び後方コンクリートブロック３０の貫通孔３６に通して接着剤等で固定する。
【００６８】
これにより、コンクリートブロック１０が完成する。又、前方板２２、左右の側板２４ａ、２４ｂ、中間板３７及び底板２３で囲まれた前方スペース２１が形成され、中間板３７、左右の側板３４ａ、３４ｂ、後方板３２及び底板３３で囲まれた後方スペース３１が形成される。
【００６９】
図５は、図１に示すコンクリート積みブロック擁壁の構築方法を示す。同図を参照してコンクリート積みブロック擁壁の構築方法について説明する。
【００７０】
コンクリート積みブロック擁壁１を形成する地盤を法面掘削線５に沿って掘削し、露出した支持基盤の上に基礎コンクリート４を打設する。
【００７１】
工場等で予め組み立てた複数のコンクリートブロック１０を現場に搬入する。
【００７２】
基礎コンクリート４の上に複数のコンクリートブロック１０を左右に連続して配置する。コンクリートブロック１０を左右に並べて配置すると、前方スペース２１及び後方スペース３１の左右両側に側方スペースが形成される。
【００７３】
前方スペース２１及びその側方スペースの各々に現場打ちコンクリート２を充填すると、複数の前方コンクリートブロック２０が左右方向に一体化する。
【００７４】
後方スペース３１及びその側方スペースの各々に裏込め材３を充填する。
【００７５】
現場打ちコンクリート２を充填する際、中間板３７が存在するため、別途裏型枠を設けなくとも良い。
【００７６】
コンクリートブロック１０と法面掘削線５との間に隙間がある場合は砂利や土砂等で埋め戻す。
【００７７】
現場打ちコンクリート２及び裏込め材３を充填したコンクリートブロック１０各々の上に別のコンクリートブロック１０を積み、同様に現場打ちコンクリート２及び裏込め材３を充填する。
【００７８】
これを所定段数まで繰り返してコンクリート積みブロック擁壁１を構築する。
【００７９】
図６は、この発明の第２の実施の形態によるコンクリートブロックの構成を示す概略斜視図であって、図４に対応するものである。
【００８０】
尚、説明に当たっては、基本的には第１の実施の形態によるものと同一であるため、その相違点を中心に説明する。
【００８１】
同図を参照して、この実施の形態によるコンクリートブロックは、中間板３７が後方コンクリートブロック３０ではなく前方コンクリートブロック２０に設けられている。
【００８２】
中間板３７は、後方コンクリートブロック３０に設ける場合と同様に、後方コンクリートブロック３０の後方板３２と同一の勾配を有しており、前方コンクリートブロック２０の底板２３及び前方板２２と同一の幅である。中間板３７は、下方に排水管４０を通す貫通孔３６が形成されており、貫通孔３６の中心軸は前方板２２に形成された貫通孔２６の中心軸の延長線上に位置する。
【００８３】
ボルト５１ａ、５２ｂが螺合するインサート２５ａ、２５ｂは、中間板３７の後方側に設けられる。
【００８４】
前方板２２、一対の側板２４ａ、２４ｂ及び中間板３７は、垂直方向に略同一の高さを有し、前方コンクリートブロック２０は側面視、略平行四辺形に形成されている。
【００８５】
図７は、この発明の第３の実施の形態によるコンクリートブロックの構成を示す概略斜視図であって、図６に対応するものである。
【００８６】
尚、説明に当たっては、基本的には第２の実施の形態によるものと同一であるため、その相違点を中心に説明する。
【００８７】
同図を参照して、この実施の形態によるコンクリートブロックは、底板２３及び３３を設けていない。そのため、コンクリートブロック１０を上下に積み重ねた場合に、前方スペース２１及び後方スペース３１は、上下に連続したスペースとなり、前方スペース２１に現場打ちコンクリートを充填すると、上下方向に一体化される。
【００８８】
この実施の形態のコンクリート積みブロック擁壁は、第１の実施の形態と同様、一体化したコンクリートブロックの後方スペースに裏込め材を充填することで、裏込め材を自重として安定計算ができるので、切土法面の掘削幅や掘削量を削減することができ、工期短縮やコスト削減を実現できる。又、コンクリートブロックの底に開口があるため、鉄筋を格子状に通すなどしても良い。
【００８９】
図８は、この発明の第４の実施の形態によるコンクリート積みブロック擁壁の概略断面図であって、図１に対応するものである。
【００９０】
尚、説明に当たっては、基本的には第２の実施の形態によるものと同一であるため、その相違点を中心に説明する。
【００９１】
同図を参照して、この実施の形態によるコンクリート積みブロック擁壁１００は、擁壁の前面が垂直に形成されており、所定段数から上に配置されるコンクリートブロックの各々の後方には、更に後方コンクリートブロックを配置して一体化している。
【００９２】
コンクリート積みブロック擁壁１００の第１及び第２の後方コンクリートブロック３０ｃ、３０ｄは、後方コンクリートブロック３０と同様の構成である。前方コンクリートブロック２０の前方板２２及び中間板３７と、第１及び第２の後方コンクリートブロック３０ｃ、３０ｄの後方板３２ｃ、３２ｄとは垂直に形成される。
【００９３】
コンクリート積みブロック擁壁１００の下から２段目までは前方コンクリートブロック２０及び第１の後方コンクリートブロック３０ｃを連結して構成され、第１の実施の形態と同様に、前方スペース２１には現場打ちコンクリート２を充填し、第１の後方スペース３１ｃには裏込め材３を充填する。
【００９４】
３段目から上は、第１の後方コンクリートブロック３０ｃの後方に更に第２の後方コンクリートブロック３０ｄが連結される。第２の後方コンクリートブロック３０ｄが第１の後方コンクリートブロック３０ｃに連結されると、第２の後方スペース３１ｄが形成される。第２の後方スペース３１ｄには裏込め材３が充填される。
【００９５】
法面掘削線５とコンクリート積みブロック擁壁１００との間のスペースは、砂利や土砂で埋められる。
【００９６】
第１及び第２後方コンクリートブロック３０ｃ、３０ｄの後方板３２ｃ、３２ｄには透水孔３８ｃ、３８ｄが設けられており、法面から透水孔３８ｄを介して第２の後方スペース３１ｄに侵入した雨水等は、透水孔３８ｃを通って第１の後方スペース３１ｃに移動し、排水管４０を介して段ごとにコンクリート積みブロック擁壁１００の前方へ排出される。
【００９７】
このように形成すると、前面が略垂直で背面が階段状の擁壁を構築することができ、擁壁の上部の土地が広く形成でき、空間を有効利用できる。又、切土法面の現場で施工する場合は、背面の土砂の掘削量が少なくて済むため、工期短縮、コスト削減につながる。
【００９８】
図９は、この発明の第５の実施の形態によるコンクリート積みブロック擁壁の概略断面図であって、図８に対応するものである。
【００９９】
尚、説明に当たっては、基本的には第４の実施の形態によるものと同一であるため、その相違点を中心に説明する。
【０１００】
同図を参照して、この実施の形態によるコンクリート積みブロック擁壁１０１は、第４の実施の形態のコンクリート積みブロック擁壁１００のコンクリートブロックを、前方コンクリートブロック２０、第１の後方コンクリートブロック３０ｃ及び第２の後方コンクリートブロック３０ｄを長尺のボルト５３、５４等の機械的連結手段によって一体に連結したものである。
【０１０１】
第１及び第２の後方コンクリートブロック３０ｃ、３０ｄの後方板３２ｃ、３２ｄにはボルト５３、５４を挿入可能な貫通孔が形成されている。下から２段目までは、前方コンクリートブロック２０及び第１の後方コンクリートブロック３０ｃを前後に配置し、長尺のボルト５３を第１の後方コンクリートブロック３０ｃの後方から貫通孔に挿入し、前方コンクリートブロック２０の中間板３７に設けたインサートに螺合する。３段目から上は、前方コンクリートブロック２０、第１の後方コンクリートブロック３０ｃ及び第２の後方コンクリートブロック３０ｄを前後に並べ、長尺のボルト５４を第２の後方コンクリートブロック３０ｄの後方から、第１及び第２の後方コンクリートブロック３０ｃ、３０ｄの貫通孔を介して前方コンクリートブロック２０の中間板３７に設けたインサートに螺合する。長尺のボルト５４を使うことで、３つのコンクリートブロックを一度に連結できる。
【０１０２】
これにより、コンクリート積みブロック擁壁の高さを必要とする場合に強固なコンクリート積みブロック擁壁を形成することができる。
【０１０３】
図１０は、この発明の第６の実施の形態によるコンクリート積みブロック擁壁の概略断面図であって、図１に対応するものである。
【０１０４】
尚、説明に当たっては、基本的には第１の実施の形態によるものと同一であるため、その相違点を中心に説明する。
【０１０５】
同図を参照して、この実施の形態によるコンクリート積みブロック擁壁１０２は、排水管４０を用いずに排水路を形成している。
【０１０６】
前方コンクリートブロック２０の底板２３の内部には、プレキャスト時に前方コンクリートブロック２０の背面から前面まで貫通する排水穴４１が形成される。底板２３には、排水穴４１を形成できるように厚みを持たせている。前方コンクリートブロック２０及び後方コンクリートブロック３０を連結すると、排水穴４１は中間板３７に設けた貫通孔３６と連通して排水路となる。
【０１０７】
このように予め排水路を設けることで、現場で合わせなくとも良くなる。又、排水管４０を取り付ける必要が無いため、組立工程が削減できる。
【０１０８】
尚、上記の各実施の形態では、中間板３７を後方コンクリートブロック３０又は前方コンクリートブロック２０に設けるとしたが、前方コンクリートブロック２０及び後方コンクリートブロック３０の両方に設けても良い。前方コンクリートブロック２０と後方コンクリートブロック３０とを連結して前方スペース２１と後方スペース３１とが形成されれば良い。
【０１０９】
又、上記の各実施の形態では、前方コンクリートブロック２０及び後方コンクリートブロック３０の形状を特定しているが、前方スペース２１及び後方スペース３１を形成可能であれば他の形状のコンクリートブロックでも良い。
【０１１０】
更に、前方コンクリートブロック２０は、従来のコンクリートブロックを利用可能である。従来のコンクリートブロックを成形する際に、インサート等の機械的連結手段を設ければ良いので、別途型を準備する必要はない。又、前方コンクリートブロック２０として、例えば緑化コンクリートブロックなども適用可能である。この場合、前方スペース２１には現場打ちコンクリート２の代わりに土砂を充填する。前方スペース２１の両側の側方スペースがある場合、土砂を充填しても良いし、現場打ちコンクリート２を充填して左右方向に一体化しても良い。
【０１１１】
更に、上記の各実施の形態では、前方コンクリートブロック２０と後方コンクリートブロック３０とを別々に成形して組み立てるとして説明したが、コンクリートブロック１０を一つのコンクリートブロックとして形成しても良い。この場合、組立が不要になり、更に工数を削減できる。
【０１１２】
更に、上記の各実施の形態では、後方スペース３１とその両側の側方スペースとに裏込め材３を充填するとしたが、現場打ちコンクリート２を充填しても良いし、これらを交互に充填しても良い。後方スペース３１には裏込め材３を充填し、側方スペースには現場打ちコンクリート２を充填すると、後方ブロック群が左右方向に一体化され、高さのあるコンクリート積みブロック擁壁を構築する際に有効である。又、鉄筋を通して現場打ちコンクリート２を充填すれば更に高さのあるコンクリート積みブロック擁壁を構築できる。
【０１１３】
更に、上記の各実施の形態では、透水孔３８は円錐台形状としたが、透水機能を有するものであれば他の形状でも良い。外側の開口の面積より内側の開口の面積が小さいなど、法面からの雨水等を後方スペース３１へ通し、裏込め材３が後方コンクリートブロック３０の背後に抜け落ちにくい構造であれば良い。後方板３２に複数の貫通孔を形成する他、後方板３２に開口を設け、開口に鉄筋を格子状に形成するなどでも良い。
【０１１４】
更に、上記の各実施の形態では、前方コンクリートブロック２０及び後方コンクリートブロック３０のそれぞれの側板２４、３４とその下方の底板２３、３３の裏側とに、対応する凹凸を設けるとしたが、いずれか一方のコンクリートブロックに設けるとしても良い。又、凹凸はコンクリートブロック１０を上下に積んだ場合にずれない形状であればどのような位置及び形状でも良く、前方板、側板、中間板又は後方板の上部と、それに対応する底板の裏側とに階段状の段差や起伏を一つ又は複数設けても良い。
【０１１５】
更に、上記の各実施の形態では、ボルト５１を通す小孔３５は側板３４の矩形状の孔の前方から形成されるとしたが他の形状でも良く、小孔３５を形成でき、ボルト５１を通すことが可能であればどのような形状でも良い。又、中間板３７に穴をあけ、長尺のボルトを貫通させて現場打ちコンクリートに埋め込むとしても良い。
【０１１６】
更に、上記の第２及び第３の実施の形態では、第５の実施の形態のように、後方板３２に小孔３５に相当する貫通孔を設け、中間板３７にインサートを設け、長尺のボルトで前方コンクリートブロック２０と後方コンクリートブロック３０とを連結するとしても良い。
【０１１７】
更に、上記の各実施の形態では、前方コンクリートブロック２０と後方コンクリートブロック３０とはボルトとインサートとで連結するとしたが、他の機械的連結手段を用いても良い。インサートの代わりに別の取付部材を設けても良いし、鉄筋などの金属部品とボルト及びナットのような締結手段とを組み合わせても良い。又、機械的連結手段の位置や数は限定されない。
【０１１８】
更に、上記の第１から第３の実施の形態では、前方板２２は後方板３２と同一の勾配としたが、前方板２２は略垂直でも良いし、段数によって勾配を変えても良い。例えば、所定段数より下の段では後方板３２と同様の勾配を有する前方板２２の前方コンクリートブロック２０を用い、所定段数から上の段では略垂直な前方板２２の前方コンクリートブロック２０を用いても良い。この場合、全ての段に勾配を付けたコンクリート積みブロック擁壁よりも、擁壁の上部のスペースを広く形成できる。道路拡幅などの目的で擁壁の上にスペースを形成する場合に、全ての段に傾斜を付けたときに比べて掘削幅、掘削量を減らし、空間を有効利用できる。
【０１１９】
更に、上記の第４の実施の形態では、５段積みで３段目以降に第２の後方コンクリートブロック３０ｄを連結するとしたが、積み上げ段数、所定段数に制限は無い。更に段数を６段目以降増やす場合、６段目以降の段では第２の後方コンクリートブロック３０ｄの後方に更に後方コンクリートブロックを連結し、擁壁が階段状に形成されるとしても良い。
【０１２０】
更に、コンクリートブロック１０の背面には吸出し防止シートを取り付けても良い。
【０１２１】
更に、上記の第４及び第５の実施の形態では、前方コンクリートブロック２０の前方板２２及び中間板３７と、第１及び第２の後方コンクリートブロック３０ｃ、３０ｄの後方板３２ｃ、３２ｄとが垂直に形成されるとしたが、後方へ傾く勾配を有するとしても良い。
【０１２２】
更に、第１、第２、第３及び第６の実施の形態では、前方板２２、中間板３７、後方板３２は後方へ傾く勾配を有するとして説明したが、垂直に形成されるとしても良い。
【０１２３】
更に、上記の第４及び第５の実施の形態では底板２３、３３を設けた構成について説明したが、第３の実施の形態と同様に底板２３、３３を設けない構成としても良い。
【０１２４】
更に、上記の第６の実施の形態では中間板３７が後方コンクリートブロック３０に設けられるとして説明したが、中間板３７が前方コンクリートブロック２０に設けられても良い。この場合、前方コンクリートブロック２０は、第６の実施の形態と同様に底板２３に厚みを持たせ、貫通孔３６に相当する位置から底板２３の内部を通り前方コンクリートブロック２０の前面まで連続した排水路が形成される。前方コンクリートブロック２０と後方コンクリートブロック３０とを前後に連結すると、排水路の上流側は、後方コンクリートブロック３０の底板３３の上方に位置する。
【０１２５】
更に、上記の各実施の形態では、中間板３７は前方コンクリートブロック２０又は後方コンクリートブロック３０の一部として形成されるとしたが、コンクリートブロック１０では中間板３７が独立した構成としても良い。コンクリートブロック１０について、プレキャストコンクリートをどのようなパーツに分けて形成するかは必要に応じて適宜決定すれば良く、コンクリートブロックを連結して前方スペース２１及び後方スペース３１が形成される構成であれば良い。
【符号の説明】
【０１２６】
１…コンクリート積みブロック擁壁
２…現場打ちコンクリート
３…裏込め材
１０…コンクリートブロック
２０…前方コンクリートブロック
２１…前方スペース
３０…後方コンクリートブロック
３１…後方スペース
３８…透水孔
４０…排水管
尚、各図中同一符号は同一又は相当部分を示す。
【図１】
2020117917.tif 000003
【図２】
2020117917.tif 000004
【図３】
2020117917.tif 000005
【図４】
2020117917.tif 000006
【図５】
2020117917.tif 000007
【図６】
2020117917.tif 000008
【図７】
2020117917.tif 000009
【図８】
2020117917.tif 000010
【図９】
2020117917.tif 000011
【図１０】
2020117917.tif 000012
【手続補正書】
【提出日】令和1年9月12日(2019.9.12)
【手続補正１】
【補正対象書類名】明細書
【補正対象項目名】０００７
【補正方法】削除
【補正の内容】
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
上記の目的を達成するために、請求項１記載の発明は、前方ブロック群とこれに対応する後方ブロック群とから構成され、後方ブロック群の背面側に土圧力が作用するコンクリート積みブロック擁壁であって、前方ブロック群に属する複数の前方コンクリートブロックと、後方ブロック群に属する複数の第１の後方コンクリートブロックとを前後に配置して一体化することによって前方スペースの各々と第１の後方スペースの各々とが形成され、複数の前方コンクリートブロックは、前方スペースの各々の少なくともその一部に現場打ちコンクリートを充填することによって、上下、左右に一体化され、複数の第１の後方コンクリートブロックは、第１の後方スペースの各々の少なくともその一部に第１の裏込め材が充填されると共にその背面が透水機能を有し、後方コンクリートブロックの各々の背面には少なくとも一つの開口が形成され、開口は、外側の面積より内側の面積の方が小さいものである。
【手続補正４】
【補正対象書類名】明細書
【補正対象項目名】００１０
【補正方法】変更
【補正の内容】
【００１０】
このように構成すると、裏込め材の充填が容易になる。又、後方コンクリートブロックの背面にテーパー状の開口が設けられる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
請求項２記載の発明は、前方ブロック群とこれに対応する後方ブロック群とから構成され、後方ブロック群の背面側に土圧力が作用するコンクリート積みブロック擁壁であって、前方ブロック群に属する複数の前方コンクリートブロックと、後方ブロック群に属する複数の第１の後方コンクリートブロックとを前後に配置して一体化することによって前方スペースの各々と第１の後方スペースの各々とが形成され、複数の前方コンクリートブロックは、前方スペースの各々の少なくともその一部に現場打ちコンクリートを充填することによって、上下、左右に一体化され、複数の第１の後方コンクリートブロックは、第１の後方スペースの各々の少なくともその一部に第１の裏込め材が充填されると共にその背面が透水機能を有し、前方コンクリートブロックの各々は、前と左右とをコンクリート板で形成され、第１の後方コンクリートブロックの各々は、前後左右をコンクリート板で形成され、前方スペースは、前方コンクリートブロックの前及び左右のコンクリート板と、第１の後方コンクリートブロックの前のコンクリート板とにより形成され、第１の後方スペースは、第１の後方コンクリートブロックの前後左右のコンクリート板により形成されるものである。
【手続補正１０】
【補正対象書類名】明細書
【補正対象項目名】００１６
【補正方法】変更
【補正の内容】
【００１６】
このように構成すると、裏込め材の充填が容易になる。
【手続補正１１】
【補正対象書類名】明細書
【補正対象項目名】００１７
【補正方法】変更
【補正の内容】
【００１７】
請求項３記載の発明は、前方ブロック群とこれに対応する後方ブロック群とから構成され、後方ブロック群の背面側に土圧力が作用するコンクリート積みブロック擁壁であって、前方ブロック群に属する複数の前方コンクリートブロックと、後方ブロック群に属する複数の第１の後方コンクリートブロックとを前後に配置して一体化することによって前方スペースの各々と第１の後方スペースの各々とが形成され、複数の前方コンクリートブロックは、前方スペースの各々の少なくともその一部に現場打ちコンクリートを充填することによって、上下、左右に一体化され、複数の第１の後方コンクリートブロックは、第１の後方スペースの各々の少なくともその一部に第１の裏込め材が充填されると共にその背面が透水機能を有し、前方コンクリートブロックの各々は、前後左右をコンクリート板で形成され、後方コンクリートブロックの各々は、後と左右とをコンクリート板で形成されるものである。
【手続補正１２】
【補正対象書類名】明細書
【補正対象項目名】００１８
【補正方法】変更
【補正の内容】
【００１８】
このように構成すると、裏込め材の充填が容易になる。又、前方コンクリートブロックの後ろ側がコンクリート板で閉じた構造の場合にも前方スペース及び第１の後方スペースが形成される。
請求項４記載の発明は、請求項１から請求項３のいずれかに記載の発明の構成において、第１の後方コンクリートブロックの各々は底板を備え、背面側から排出され第１の後方スペースの各々に溜まる水を前方コンクリートブロックの各々の前面へ排出する排水路を更に備え、排水路の上流側は、底板の上方に位置するものである。
このように構成すると、水が後方コンクリートブロックの背面から第１の後方スペースに侵入し、排水路を通ってコンクリート積みブロック擁壁の前面へ排出される。
【手続補正１３】
【補正対象書類名】明細書
【補正対象項目名】００１９
【補正方法】変更
【補正の内容】
【００１９】
請求項５記載の発明は、請求項２又は請求項３記載の発明の構成において、第１の後方コンクリートブロックの各々を形成する左右のコンクリート板は、後ろのコンクリート板の左右端より内側に配置され、隣接する第１の後方コンクリートブロックの各々の間に形成される側方スペースの各々の少なくとも一部に現場打ちコンクリートが充填されるものである。
【手続補正１４】
【補正対象書類名】明細書
【補正対象項目名】００２１
【補正方法】変更
【補正の内容】
【００２１】
請求項６記載の発明は、請求項１から請求項５のいずれかに記載の発明の構成において、前方コンクリートブロックの各々とこれらに対向する第１の後方コンクリートブロックの各々とは、ボルト及びナット等の機械的連結手段を介して連結されるものである。
【手続補正１５】
【補正対象書類名】明細書
【補正対象項目名】００２３
【補正方法】変更
【補正の内容】
【００２３】
請求項７記載の発明は、前方ブロック群とこれに対応する後方ブロック群とから構成され、後方ブロック群の背面側に土圧力が作用するコンクリート積みブロック擁壁であって、前方ブロック群に属する複数の前方コンクリートブロックと、後方ブロック群に属する複数の第１の後方コンクリートブロックとを前後に配置して一体化することによって前方スペースの各々と第１の後方スペースの各々とが形成され、複数の前方コンクリートブロックは、前方スペースの各々の少なくともその一部に現場打ちコンクリートを充填することによって、上下、左右に一体化され、複数の第１の後方コンクリートブロックは、第１の後方スペースの各々の少なくともその一部に第１の裏込め材が充填されると共にその背面が透水機能を有し、第１の後方コンクリートブロックの各々の背面は、後方へ傾く勾配を有し、所定段数より下に配置される前方コンクリートブロックの各々の前面は、勾配と同一勾配を有し、所定段数から上に配置される前方コンクリートブロックの各々の前面は、略垂直であるものである。
【手続補正１６】
【補正対象書類名】明細書
【補正対象項目名】００２４
【補正方法】変更
【補正の内容】
【００２４】
このように構成すると、裏込め材の充填が容易になる。又、所定段数までは傾斜のあるコンクリート積みブロック擁壁で、所定段数より上は前面が垂直のコンクリート積みブロック擁壁が形成される。
【手続補正１７】
【補正対象書類名】明細書
【補正対象項目名】００２５
【補正方法】変更
【補正の内容】
【００２５】
請求項８記載の発明は、前方ブロック群とこれに対応する後方ブロック群とから構成され、後方ブロック群の背面側に土圧力が作用するコンクリート積みブロック擁壁であって、前方ブロック群に属する複数の前方コンクリートブロックと、後方ブロック群に属する複数の第１の後方コンクリートブロックとを前後に配置して一体化することによって前方スペースの各々と第１の後方スペースの各々とが形成され、複数の前方コンクリートブロックは、前方スペースの各々の少なくともその一部に現場打ちコンクリートを充填することによって、上下、左右に一体化され、複数の第１の後方コンクリートブロックは、第１の後方スペースの各々の少なくともその一部に第１の裏込め材が充填されると共にその背面が透水機能を有し、所定段数から上に配置される複数の第１の後方コンクリートブロックの各々の後方に、第２の後方コンクリートブロックを更に配置して一体化することによって第１の後方スペースの後方の各々に第２の後方スペースが形成され、第２の後方スペースの各々の少なくともその一部に第２の裏込め材が充填されると共に第２の後方コンクリートブロックの背面が透水機能を有するものである。
【手続補正１８】
【補正対象書類名】明細書
【補正対象項目名】００２６
【補正方法】変更
【補正の内容】
【００２６】
このように構成すると、裏込め材の充填が容易になる。又、背面側が階段状のコンクリート積みブロック擁壁が形成される。
請求項９記載の発明は、複数のコンクリートブロックから構成され、その背面側に土圧力が作用するコンクリート積みブロック擁壁であって、複数のコンクリートブロックの各々は、前後左右に形成されるコンクリート板と、前後左右に形成されるコンクリート板の前と後との間において左右にわたって形成される中間板とを備え、前後左右に形成されるコンクリート板の前と左右と中間板とにより前方スペースが形成され、前後左右に形成されるコンクリート板の後と左右と中間板とにより第１の後方スペースが形成され、前方スペースの各々の少なくともその一部に現場打ちコンクリートを充填することによって、上下、左右に一体化され、第１の後方スペースの各々の少なくともその一部に第１の裏込め材が充填されると共にその背面が透水機能を有するものである。
このように構成すると、裏込め材の充填が容易になる。又、一体化したコンクリートブロックにおいて前方スペース及び第１の後方スペースが形成される。
【手続補正１９】
【補正対象書類名】明細書
【補正対象項目名】００２７
【補正方法】変更
【補正の内容】
【００２７】
請求項１０記載の発明は、前方ブロック群とこれに対応する後方ブロック群とから構成され、後方ブロック群の背面側に土圧力が作用するコンクリート積みブロック擁壁の構築方法であって、前方ブロック群に属する複数の前方コンクリートブロックの各々と、後方ブロック群に属する複数の後方コンクリートブロックの各々とを前後に配置して一体化することによって前方スペースの各々と後方スペースの各々とを形成する工程と、形成した一体化コンクリートブロックを現場に搬入する工程と、一体化コンクリートブロックを１段目として左右に複数設置する設置工程と、前方スペースの各々の少なくともその一部に現場打ちコンクリートを充填し、後方スペースの各々の少なくともその一部に裏込め材を充填する充填工程とを備え、設置工程と、充填工程とを上方向に所定段数繰り返すものである。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】変更
【補正の内容】
【００３０】
以上説明したように、請求項１記載の発明は、裏込め材の充填が容易になるので工期が短縮化し、充填効果が安定する。又、後方コンクリートブロックの背面にテーパー状の開口が設けられるので、法面からの湧水は後方スペース内に入りやすく、後方スペース内の裏込め材は外部に飛び出しにくい。
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】変更
【補正の内容】
【００３３】
請求項２記載の発明は、裏込め材の充填が容易になるので工期が短縮化し、充填効果が安定する。
【手続補正２５】
【補正対象書類名】明細書
【補正対象項目名】００３４
【補正方法】変更
【補正の内容】
【００３４】
請求項３記載の発明は、裏込め材の充填が容易になるので工期が短縮化し、充填効果が安定する。又、前方コンクリートブロックの後ろ側がコンクリート板で閉じた構造の場合にも前方スペース及び第１の後方スペースが形成され、後方コンクリートブロックの前側にはコンクリート板が無いので、前方コンクリートブロックと後方コンクリートブロックとの間のコンクリート板が二重にならず無駄がない。
請求項４記載の発明は、請求項１から請求項３のいずれかに記載の発明の効果に加えて、水が後方コンクリートブロックの背面から第１の後方スペースに侵入し、排水路を通ってコンクリート積みブロック擁壁の前面へ排出されるので、水がコンクリート積みブロック擁壁の各段で前面へ排出可能であり、水がコンクリート積みブロック擁壁の下方に溜まらないので、大雨による土砂崩れなどの災害を防ぐことにつながる。
【手続補正２６】
【補正対象書類名】明細書
【補正対象項目名】００３５
【補正方法】変更
【補正の内容】
【００３５】
請求項５記載の発明は、請求項２又は請求項３記載の発明の効果に加えて、第１の後方コンクリートブロックが左右に一体化されるので、より高さのあるコンクリート積みブロック擁壁を形成可能となる。
【手続補正２７】
【補正対象書類名】明細書
【補正対象項目名】００３６
【補正方法】変更
【補正の内容】
【００３６】
請求項６記載の発明は、請求項１から請求項５のいずれかに記載の発明の効果に加えて、前方コンクリートブロックと後方コンクリートブロックとを一体化できるので、少ない工程でコンクリートブロックを一体化することができる。
【手続補正２８】
【補正対象書類名】明細書
【補正対象項目名】００３７
【補正方法】変更
【補正の内容】
【００３７】
請求項７記載の発明は、裏込め材の充填が容易になるので工期が短縮化し、充填効果が安定する。又、所定段数までは傾斜のあるコンクリート積みブロック擁壁で、所定段数より上は前面が略垂直のコンクリート積みブロック擁壁が形成されるので、コンクリート積みブロック擁壁の上部の面積を広くすることが可能である。
【手続補正２９】
【補正対象書類名】明細書
【補正対象項目名】００３８
【補正方法】変更
【補正の内容】
【００３８】
請求項８記載の発明は、裏込め材の充填が容易になるので工期が短縮化し、充填効果が安定する。又、背面側が階段状のコンクリート積みブロック擁壁が形成されるので、擁壁の上部の土地が広く形成でき、空間を有効利用できる。又、切土法面の現場で施工する場合は、背面の土砂の掘削量が少なくて済むため、工期短縮、コスト削減につながる。
請求項９記載の発明は、裏込め材の充填が容易になるので工期が短縮化し、充填効果が安定する。又、一体化したコンクリートブロックにおいて前方スペース及び第１の後方スペースが形成されるので、組立が不要になり、更に工数を削減できる。
【手続補正３０】
【補正対象書類名】明細書
【補正対象項目名】００３９
【補正方法】変更
【補正の内容】
【００３９】
請求項１０記載の発明は、前方コンクリートブロックと後方コンクリートブロックとを予め一体化したものが設置されるので、現場で組立しなくとも良くなる。
【手続補正３１】
【補正対象書類名】特許請求の範囲
【補正対象項目名】全文
【補正方法】変更
【補正の内容】
【特許請求の範囲】
【請求項１】
前方ブロック群とこれに対応する後方ブロック群とから構成され、前記後方ブロック群の背面側に土圧力が作用するコンクリート積みブロック擁壁であって、
前記前方ブロック群に属する複数の前方コンクリートブロックと、前記後方ブロック群に属する複数の第１の後方コンクリートブロックとを前後に配置して一体化することによって前方スペースの各々と第１の後方スペースの各々とが形成され、
前記複数の前方コンクリートブロックは、前記前方スペースの各々の少なくともその一部に現場打ちコンクリートを充填することによって、上下、左右に一体化され、
前記複数の第１の後方コンクリートブロックは、前記第１の後方スペースの各々の少なくともその一部に第１の裏込め材が充填されると共にその背面が透水機能を有し、
前記後方コンクリートブロックの各々の背面には少なくとも一つの開口が形成され、
前記開口は、外側の面積より内側の面積の方が小さい、コンクリート積みブロック擁壁。
【請求項２】
前方ブロック群とこれに対応する後方ブロック群とから構成され、前記後方ブロック群の背面側に土圧力が作用するコンクリート積みブロック擁壁であって、
前記前方ブロック群に属する複数の前方コンクリートブロックと、前記後方ブロック群に属する複数の第１の後方コンクリートブロックとを前後に配置して一体化することによって前方スペースの各々と第１の後方スペースの各々とが形成され、
前記複数の前方コンクリートブロックは、前記前方スペースの各々の少なくともその一部に現場打ちコンクリートを充填することによって、上下、左右に一体化され、
前記複数の第１の後方コンクリートブロックは、前記第１の後方スペースの各々の少なくともその一部に第１の裏込め材が充填されると共にその背面が透水機能を有し、
前記前方コンクリートブロックの各々は、前と左右とをコンクリート板で形成され、
前記第１の後方コンクリートブロックの各々は、前後左右をコンクリート板で形成され、
前記前方スペースは、前記前方コンクリートブロックの前及び左右の前記コンクリート板と、前記第１の後方コンクリートブロックの前の前記コンクリート板とにより形成され、
前記第１の後方スペースは、前記第１の後方コンクリートブロックの前後左右の前記コンクリート板により形成される、コンクリート積みブロック擁壁。
【請求項３】
前方ブロック群とこれに対応する後方ブロック群とから構成され、前記後方ブロック群の背面側に土圧力が作用するコンクリート積みブロック擁壁であって、
前記前方ブロック群に属する複数の前方コンクリートブロックと、前記後方ブロック群に属する複数の第１の後方コンクリートブロックとを前後に配置して一体化することによって前方スペースの各々と第１の後方スペースの各々とが形成され、
前記複数の前方コンクリートブロックは、前記前方スペースの各々の少なくともその一部に現場打ちコンクリートを充填することによって、上下、左右に一体化され、
前記複数の第１の後方コンクリートブロックは、前記第１の後方スペースの各々の少なくともその一部に第１の裏込め材が充填されると共にその背面が透水機能を有し、
前記前方コンクリートブロックの各々は、前後左右をコンクリート板で形成され、
前記後方コンクリートブロックの各々は、後と左右とをコンクリート板で形成される、コンクリート積みブロック擁壁。
【請求項４】
前記第１の後方コンクリートブロックの各々は底板を備え、
背面側から排出され前記第１の後方スペースの各々に溜まる水を前記前方コンクリートブロックの各々の前面へ排出する排水路を更に備え、
前記排水路の上流側は、前記底板の上方に位置する、請求項１から請求項３のいずれかに記載のコンクリート積みブロック擁壁。
【請求項５】
前記第１の後方コンクリートブロックの各々を形成する左右のコンクリート板は、後ろのコンクリート板の左右端より内側に配置され、
隣接する前記第１の後方コンクリートブロックの各々の間に形成される側方スペースの各々の少なくとも一部に現場打ちコンクリートが充填される、請求項２又は請求項３記載のコンクリート積みブロック擁壁。
【請求項６】
前記前方コンクリートブロックの各々とこれらに対向する前記第１の後方コンクリートブロックの各々とは、ボルト及びナット等の機械的連結手段を介して連結される、請求項１から請求項５のいずれかに記載のコンクリート積みブロック擁壁。
【請求項７】
前方ブロック群とこれに対応する後方ブロック群とから構成され、前記後方ブロック群の背面側に土圧力が作用するコンクリート積みブロック擁壁であって、
前記前方ブロック群に属する複数の前方コンクリートブロックと、前記後方ブロック群に属する複数の第１の後方コンクリートブロックとを前後に配置して一体化することによって前方スペースの各々と第１の後方スペースの各々とが形成され、
前記複数の前方コンクリートブロックは、前記前方スペースの各々の少なくともその一部に現場打ちコンクリートを充填することによって、上下、左右に一体化され、
前記複数の第１の後方コンクリートブロックは、前記第１の後方スペースの各々の少なくともその一部に第１の裏込め材が充填されると共にその背面が透水機能を有し、
前記第１の後方コンクリートブロックの各々の背面は、後方へ傾く勾配を有し、
所定段数より下に配置される前記前方コンクリートブロックの各々の前面は、前記勾配と同一勾配を有し、
前記所定段数から上に配置される前記前方コンクリートブロックの各々の前面は、略垂直である、コンクリート積みブロック擁壁。
【請求項８】
前方ブロック群とこれに対応する後方ブロック群とから構成され、前記後方ブロック群の背面側に土圧力が作用するコンクリート積みブロック擁壁であって、
前記前方ブロック群に属する複数の前方コンクリートブロックと、前記後方ブロック群に属する複数の第１の後方コンクリートブロックとを前後に配置して一体化することによって前方スペースの各々と第１の後方スペースの各々とが形成され、
前記複数の前方コンクリートブロックは、前記前方スペースの各々の少なくともその一部に現場打ちコンクリートを充填することによって、上下、左右に一体化され、
前記複数の第１の後方コンクリートブロックは、前記第１の後方スペースの各々の少なくともその一部に第１の裏込め材が充填されると共にその背面が透水機能を有し、
所定段数から上に配置される複数の前記第１の後方コンクリートブロックの各々の後方に、第２の後方コンクリートブロックを更に配置して一体化することによって前記第１の後方スペースの後方の各々に第２の後方スペースが形成され、前記第２の後方スペースの各々の少なくともその一部に第２の裏込め材が充填されると共に前記第２の後方コンクリートブロックの背面が透水機能を有する、コンクリート積みブロック擁壁。
【請求項９】
複数のコンクリートブロックから構成され、その背面側に土圧力が作用するコンクリート積みブロック擁壁であって、
前記複数のコンクリートブロックの各々は、
前後左右に形成されるコンクリート板と、
前記前後左右に形成されるコンクリート板の前と後との間において左右にわたって形成される中間板とを備え、
前記前後左右に形成されるコンクリート板の前と左右と前記中間板とにより前方スペースが形成され、
前記前後左右に形成されるコンクリート板の後と左右と前記中間板とにより第１の後方スペースが形成され、
前記前方スペースの各々の少なくともその一部に現場打ちコンクリートを充填することによって、上下、左右に一体化され、
前記第１の後方スペースの各々の少なくともその一部に第１の裏込め材が充填されると共にその背面が透水機能を有する、コンクリート積みブロック擁壁。
【請求項１０】
前方ブロック群とこれに対応する後方ブロック群とから構成され、前記後方ブロック群の背面側に土圧力が作用するコンクリート積みブロック擁壁の構築方法であって、
前記前方ブロック群に属する複数の前方コンクリートブロックの各々と、前記後方ブロック群に属する複数の後方コンクリートブロックの各々とを前後に配置して一体化することによって前方スペースの各々と後方スペースの各々とを形成する工程と、
形成した一体化コンクリートブロックを現場に搬入する工程と、
前記一体化コンクリートブロックを１段目として左右に複数設置する設置工程と、
前記前方スペースの各々の少なくともその一部に現場打ちコンクリートを充填し、前記後方スペースの各々の少なくともその一部に裏込め材を充填する充填工程とを備え、
前記設置工程と、前記充填工程とを上方向に所定段数繰り返す、コンクリート積みブロック擁壁の構築方法。